(57)【要約】【課題】疲労や痛み、骨の奇形化のような障害を生じること無くマウス操作を行える天板を提供する。【手段】天板１はキーボードを載せ得るキーボードエリア５と、その左右外側に位置するマウスエリア９とを備えている。マウスエリア９は左右外側に向けて緩く傾斜し、かつ、手前側の部分は手前に向けて低くなるように緩く前傾している。後部を緩く後傾させても良い。マウスエリア９の上面が左右外側に向けて傾斜していることにより、使用者が手首をねじる程度を小さくできるため、骨や筋、筋肉に余分な負担が掛かることを防止して、障害の発生を防止できる。【選択図】          図６
2004348369.tif 000002
【特許請求の範囲】
【請求項１】
パソコンやＣＡＤのような電子機器に接続されたマウスを操作するのに好適な天板であって、
使用者が肘の一部又は全部を載せた状態でマウスを前後方向及び左右方向に移動操作し得る大きさであり、マウスを操作できるエリアの上面を、使用者の正面視で左右外側に向けて低くなる傾斜面に形成している、
マウス操作に好適な天板。
【請求項２】
マウスを操作できるエリアのうち少なくとも手前側に位置した部分の上面を緩く前傾させている、
請求項１に記載したマウス操作に好適な天板。
【請求項３】
キーボードを載せ得るセンターエリアと、センターエリアを挟んだ両側に広がるサイドエリアとを備えており、左右のサイドエリアを、人が肘を載せた状態でマウスを操作し得るマウスエリアと成しており、これらマウスエリアの上面を、全体として左右外側に向けて低くなるように傾斜させると共に、前後中途部を境にして手前側の部分を緩く前傾させている、
請求項１又は請求項２に記載したマウス操作に好適な天板。
【請求項４】
少なくとも、使用者が肘又は手首を載せる頻度が高い手前寄り部分の表層部は、人の肘や手首への当たりが柔らかい軟質材から成っている、
請求項１〜３のうちの何れかに記載したマウス操作に好適な天板。
【請求項５】
使用者の腹部を入り込ませ得るような平面視前向き開口の凹所が形成されており、凹所の後方にキーボードを載せ得るキーボード用エリアを形成し、凹所及びキーボード用エリアを挟んだ両側に、使用者が肘を載せた状態でマウス操作可能なマウス用エリアを設けている、
請求項１〜請求項４のうちの何れかに記載したマウス操作に好適な天板。
【請求項６】
請求項１〜請求項６に記載した天板を一体的に又は着脱可能に設けている、
机又は設備類。
【発明の詳細な説明】
【０００１】
【発明の属する技術分野】
本発明は、マウス操作に好適な天板（プレート）及びこれを備えた机（テーブル）又は設備類に関するものである。
【０００２】
【従来の技術】
近年、オフィスや家庭で、パソコン（パーソナルコンピュータ）やＣＡＤ、オンラインシステム用端末のような各種の電子機器が急激に普及している。これらの電子機器では操作装置として一般にキーボードとマウスが使用される。キーボードとマウスとのいずれを多く使用するかは作業内容によって相違しており、キーボードは殆ど使用せずに専らマウスを使用する作業も多い。
【０００３】
言うまでもなく、キーボードもマウスも机の天板に載せて使用される。マウスは机上に直接に置いて使用する場合と、薄くて狭い面積のマウスパッドを介して置く場合とがある。このような使用状態の一例を図１８（Ｃ）に示している。
【０００４】
ところで、図１８（Ａ）（Ｂ）は人Ｈが立って力を抜いた自然な状態での正面図及び側面図であり、手首の姿勢を見ると、自然な状態で人は手の平を身体の側面に沿わせており、この状態では手首や関節には負担は掛かっていない。他方、机上に設けたキーボードＫやマウスＭを操作するにおいて、人は、手の平（掌）を下向きにしている（すなわち手の甲を上向きにしている）。
【０００５】
つまり、マウスＭを操作する作業では、人は、自然な状態から手首を９０度程度ねじっており、このように手首をねじった状態で手首を前後左右に動かしたり指を動かしたりしている。このため、毎日長時間のマウス操作を行っていると、手首や指、或いは関節に疲労や痛み・骨の奇形化といった障害が発生することがあり、これがパソコン作業に伴う問題になっている。
【０００６】
他方、特許文献１には、上面を外縁に向けて低くなるように傾斜させたマウスパッドが提案されており、このマウスパッドを使用すると、マウスの姿勢を左右外側に向けて下向きとなるように傾けることができるため、使用者は自然な状態から手首をねじる程度を小さくでき、その結果、使用者の腕に掛かる負担を低減して、障害を緩和が可能になると言える。
【０００７】
【特許文献１】
特開２０００−３２２１９７号公報
【０００８】
【発明が解決しようとする課題】
ところで、マウス操作を行う場合、肘（特に断らない限り、肘の関節と手首の関節との間の部分である前腕部と同義に使用する）を天板から浮かして作業する場合と、肘を天板に当てて行う場合とがある。
【０００９】
また、マウス操作を行うに際しての人の姿勢としては、上半身をほぼ直立させた姿勢で椅子に腰掛けて、肘と二の腕とを９０度程度に曲げた姿勢を採ったり、椅子の背もたれにもたれ掛かって、腕を伸ばし気味にした姿勢を採ったりというように、必ずしも姿勢は一定していない。
【００１０】
このようにマウス操作を行うに際しての作業姿勢は様々であるから、作業者を取り巻く環境について、様々の姿勢に対応して作業者の負担を軽減するような配慮が求められる。
【００１１】
しかし、特許文献１のマウスパッドはマウスを狭い範囲で移動させ得るに過ぎないため、例えば肘を安楽な状態に支えるというような機能は備えておらず、また、使用者が例えば椅子に腰掛ける姿勢を変えることによって手首の前後位置が変わるとそれに応じてマウスパッドの位置を変更しなければらないという不便があった。
【００１２】
つまり、特許文献１のようなマウスパッドでは、作業者への配慮が成されているとは言うもののそれは局部的な対応でしかなく、作業者の身体全体への配慮や作業姿勢の変化への配慮というような広い視野に立った考察は成されていないといえる。見方を変えて述べると、マウスパッドのみの改良では作業環境の改善に限度があると言える。
【００１３】
本願発明は、このような実情を改善することを課題とするものである。
【００１４】
【課題を解決するための手段】
本願発明者は、マウス操作を行う人の身体や腕の姿勢等についての総合的に観察し、この観察をベースにして実験と研究を繰り返すことにより、本願各請求項の発明を完成させるに至った。
【００１５】
請求項１の発明は、パソコンやＣＡＤのような電子機器に接続されたマウスを使用するのに好適な天板に係るもので、この天板は、使用者が肘の一部又は全部を載せた状態でマウスを前後方向及び左右方向に移動操作し得る大きさであり、マウスを操作できるエリアの上面を、使用者の正面視で左右外側に向けて低くなる傾斜面に形成している。
【００１６】
請求項２の発明は、請求項１においては、マウスを操作できるエリアのうち少なくとも手前側に位置した部分の上面を緩く前傾させている。
【００１７】
請求項３の発明は、請求項１又は２において、キーボードを載せ得るセンターエリアと、センターエリアを挟んだ両側に広がるサイドエリアとを備えており、左右のサイドエリアを、人が肘を載せた状態でマウスを操作し得るマウスエリアと成しており、これらマウスエリアの上面を、全体として左右外側に向けて低くなるように傾斜させると共に、前後中途部を境にして手前側の部分を緩く前傾させている。
【００１８】
請求項４の発明は、請求項１〜３のうちの何れかにおいて、少なくとも、使用者が肘又は手首を載せる頻度が高い手前寄り部分の表層部は、人の肘や手首への当たりが柔らかい軟質材から成っている。
【００１９】
請求項５の発明は、請求項１〜４のうちの何れかにおいて、使用者の腹部を入り込ませ得るような平面視前向き開口の凹所が形成されており、凹所の後方にキーボードを載せ得るキーボード用エリアを形成し、凹所及びキーボード用エリアを挟んだ両側に、使用者が肘を載せた状態でマウス操作可能なマウス用エリアを設けている。
【００２０】
本願発明は、請求項６に記載したように、請求項１〜５に記載した天板を一体的に又は着脱可能に設けた机又は設備類も含んでいる。この場合、机（テーブル）はライティングビューローやカウンター類も含む広い概念である。また、設備としては、例えば天板を起倒自在に組み込んだ壁構造が挙げられる。
【００２１】
【発明の作用・効果】
≪請求項１の効果≫
請求項１の発明によると、肘を天板に当てた状態のままでマウスを操作できるため使い勝手が良く、また、マウスの操作面は左右外側に向けて低くなるように傾斜しているため、手首を自然な状態からねじる程度を小さくして、使用者に障害が生じることを防止または著しく抑制することができる。
【００２２】
また、マウスを操作できるエリアは前後方向に広がっているため、腕を手前に引いた状態でマウス作業したり、椅子に直立状に腰掛けて腕を伸ばし気味にした状態でマウス作業したり、或いは、椅子の背もたれにもたれ掛かって腕を伸ばし気味にした状態でマウス作業をしたりというように色々な姿勢をとっても、マウスを正確かつ軽快に操作することができる。このため単なるマウスパッドでは得ることのできない高い使い勝手を得ることができる。
【００２３】
≪請求項２の効果≫
人間は、腕の筋や筋肉が力が掛かっていない自然な状態では、肘と手の甲とがほぼ直線状に延びる姿勢になっており、従って、マウスやキーボードを操作するにおいては、手首はできるだけ曲げない状態であるのが好ましい。
【００２４】
しかし、マウスに手の平を載せると手首は必然的に上向きに起きる傾向（肘に対して手の甲が反る傾向）を呈する。このため、天板のうちマウスを操作する面の全体が側面視で水平状であると、手首を起こした状態でマウスの操作をし続けることになり、その結果、手首や指を動かす筋や骨、筋肉に負担が掛かって障害の原因になりやすい。
【００２５】
これに対して請求項２のように構成すると、天板のうち前傾した部分に肘（前腕部）を載せることにより、手の甲が肘に対して反り気味になることを防止又は著しく抑制できるため、換言すると、手首を不自然に曲げた状態のままでマウス作業を行うことを防止又は著しく抑制できるため、長時間のマウス操作であっても、障害の発生を防止することができる。
【００２６】
≪請求項３の効果≫
パソコン類はキーボードとマウスとを併用するのが一般的であるから、請求項３のように構成すると現実性が高い。また、左右対称の形状になるため右利きの人と左利きの人との両方に対応できる利点もある。
【００２７】
また、請求項３のように天板を左右対称に形成すると、左右の手の姿勢（手首のねじり状態）を同じ程度にすることができるため、左右の手のバランスが良くなって、心身を安定させることができる利点もある。
【００２８】
≪請求項４の効果≫
請求項４のように構成すると、肘や手首を天板に当てて作業を行うにおいて、肘や手首に掛かる負担をより軽減して、長時間の作業も快適に行える利点がある。
【００２９】
≪請求項５の効果≫
既述のように、使用者は二の腕を手前側に引いた状態で作業を行うことがあるが、この場合は、天板の前端が直線状に延びているに過ぎないと、マウスの操作面積を確保するためには身体を天板にくっつけ気味にしなければならず、すると圧迫感を受けることになる。
【００３０】
これに対して請求項５のように構成すると、使用者は腹部を天板にくっつけ気味にしなくてもマウス操作をできるエリアを確保できるため、自然な姿勢で快適に作業を行うことができる。
【００３１】
【発明の実施形態】
次に、本発明の実施形態を図面に基づいて説明する。
【００３２】
（１）．第１実施形態（図１〜図１０）
まず、図１〜図１０に基づいて第１実施形態を説明する。図１は斜視図、図２は平面図、図３は図２の  ＩＩＩ−ＩＩＩ視断面図、図４は図２のＩＶ−ＩＶ視断面図、図５は図２の  Ｖ−Ｖ視断面図、図６は図３のうち右側の部分の拡大図、図７及び図８は部分的な拡大断面図、図９は作用の説明図、図１０は使用状態の別例を示す図である。
【００３３】
▲１▼．概要
本実施形態は机（テーブル）に適用したもので、机は天板１とこれを支持する脚装置２とを備えている（脚装置２は図１及び図９でだけ表示し、他の図では省略している）。天板１は全体として左右横長であり、例えば左右横幅を７００〜８００ｍｍ程度、前後幅寸法を５００ｍｍ程度に設定される（勿論、寸法は任意に設定できる）。
【００３４】
天板１の左右中間部には平面視で前向きに開口した略円弧状の凹所３を形成しており、全体として丸みを帯びた外形になっている。凹所３は大柄な成人男性の前腹部が嵌まる程度の大きさであり、例えば、曲率半径Ｒを１８０〜２００ｍｍ程度で天板１の前端からの深さ寸法Ｌを１５０ｍｍ程度に設定している。
【００３５】
天板１の左右中間部でかつ前後中途部には、キーボード４を載せることのできるキーボードエリア５と成している。本実施形態ではキーボードエリア５は僅かの寸法（例えば３〜５ｍｍ）だけ凹ませているが、凹ませずに他の部分と平滑に連続させても良いし、逆に、キーボード４の本体部分が隠れてキー群だけが露出するように１０〜２０ｍｍ程度の深さに設定することも可能である。
【００３６】
キーボードエリア５は天板１のうち手前側にずれた位置に形成しており、キーボードエリア５の後方の部分、すなわち図２に平行斜線帯で囲って示した部分はは、ディスプレイ６を置くことのできるディスプレイエリア７と成している。更に、キーボードエリア５及びディスプレイエリア７を挟んだ左右両側の部分は、主としてマウス８の操作が行われるマウスエリア９と成している。
【００３７】
マウスエリア９のうち特にキーボードエリア５を挟んだ左右両側の部分は、図２に一点差線の平行斜線で示すように、マウス操作が特に頻繁に行われる主部９ａになっている。
【００３８】
マウス８の操作にしてもキーボード４の操作にしても手首を天板１に載せた状態で行うことが多い。天板１のうち手前側の部分は、特に肘（又は手首）を載せることが多いという意味で支持エリア１０と成しており、この支持エリア１０の大まかな領域を図２において点線の平行斜線で示している。
【００３９】
マウスエリア９の前部と支持エリア１０の左右側部とは重なり合っている。このことから理解できるように、各エリアの境界は明確に画定される訳ではないし、かつ、明確に画定する必要もない。また、各エリアの名称は主たる用途を示すために便宜的に表示したもので、各エリアの用途がそれら名称の表示が持つ意味に限定される訳ではない。
【００４０】
例えば、腕を伸ばし気味にしてマウス操作を行う場合は、マウスエリア９の主部９ａに肘を載せて作業を行うことになる。また、ディスプレイエリア７にパソコンの本体をおいたり、マウスエリア９の後部に例えば増設式ＦＤリーダのような附属機器を置くこともできる。要は、具体的な使用態様はユーザーに委ねられるということである。
【００４１】
▲２▼．構造
図４〜７に示すように、天板１は、合成樹脂や木材、或いは、鋼板のように剛性を備えた素材からなるべース１０と、ベース１１の上面に張った表面材１２とを備えており、ディスプレイエリア７は、表面材１２をくり抜くことによって凹ませている。
【００４２】
図７及び図８に示すように、表面材１２には布のようなシート（表皮材）１２を張っている。表面材１２はシリコーンゴムやウレタン樹脂、あるいは発泡性樹脂のように、人が肘や手首を載せたときに硬いと感じない柔らかさ（クッション性）を備えた軟質材からなっている。また、軟質材であるため、マウス８のボールにシート１３が密着して、ボールを正確に回転させることができる。
【００４３】
図４に示すように、支持エリア１０の上面は手前側に向けて低くなるように緩く湾曲した状態で傾斜している。この前傾角度θ１は平均で約５°〜１０程度に設定してる。ディスプレイエリア７は水平面になっている。
【００４４】
図３〜５に示すように、マウスエリア９は、全体として左右外縁に向けて低くなるように緩い角度θ２で傾斜すると共に、略前半部は手前側に向けて緩い角度θ３で前傾し、後部は後ろ側に向けて僅かな角度で緩く後傾している。マウスエリア９の前傾角度θ２は支持エリア１０の前傾角度θ１とほぼ同じである。
【００４５】
本願発明者が複数人を被験者として行った実験では、左右方向の傾斜角度θ２は平均で２．５°程度が好適であった。個人差もあるので、２．５〜７．５°程度が好適な範囲と考えられる。マウスエリア９の前部（天板１の手前側のコーナー寄り部位）は、前傾しつつ左右外側に傾斜している。
【００４６】
本実施形態ではマウスエリア９の後部を後傾させているが、図５に一点鎖線で示すように水平状であっても良い。後傾させる場合の後傾角度は前傾角度θ３よりは小さいのが好ましく、例えば２〜５°で良いと考えられる。
【００４７】
天板１の後端縁には突条１４を設けている。これは、マウス８や他の小物の落下防止のためのものである。突条１４はベース１１や表面材１２とは別体でも良いし、両者のうち何れかに一体成形しても良い。製造の容易性や衝撃防止の点からは表面材１２に一体成形するのが好ましいと言える。
【００４８】
図８に示すように、支持エリア１０における表面材１２の上面には細かいピッチの凹凸１２ａを形成している。
【００４９】
このように凹凸１１ａを形成しているのは、通気性を確保して蒸れを防止することと、マウス８のずれ落ちを防止することとを主目的としているが、人の肘や手首との接触面積が増えることにより、肘や手首への当たりを柔らかくしてクッション性を向上できる作用もある。なお、表面材１２の全面積を細かいピッチの凹凸仕様とすることも可能である。
【００５０】
▲３▼．まとめ
本願発明においては、マウスエリア９が左右外側に傾斜していることにより、使用者が手首をねじる程度を少なくして、手首や指、腕への障害を防止することが可能となる。
【００５１】
ところで、図９（Ａ）に示すように、水平の天板１に人が肘Ｔ１を載せている状態では、肘Ｔ１と手の甲Ｔ２とは側面視でほぼ直線状に伸びており、この状態では手首に負担はかかっていない。
【００５２】
そして、マウスＭに手の平を載せると、図９（Ｂ）に示すように、手の甲Ｔ２は上向きに起きる傾向を呈する。すなわち、手首が上向きに曲がる傾向を呈する。このため、天板１が側面視で水平に過ぎない場合は、人は手首を曲げたままで長時間のマウス操作を行わなければならないため、手首や指を動かす筋や骨、筋肉が負担が掛かって疲れや障害の原因になる。
【００５３】
これに対して本願実施形態のように天板１におけるマウス操作エリア９のうち主部９ａよりも手前側の部分（主として支持エリアの左右側部）を前傾した傾斜面に形成すると、図９（Ｃ）に示すように肘Ｔ１が側面視で前傾気味になるため、肘Ｔ１と手の甲Ｔ２とを側面視で直線状の状態に保持することができ、手首や指に負担がかかっていない自然な状態でマウス操作を行うことができるため、手首や指を動かす筋や骨、筋肉に負担が掛かることを防止できる。
【００５４】
他方、腕を伸ばし気味にしてマウスＭの操作を行うことがあるが、この場合、肩の高さは一定であることから腕を伸ばすと肘Ｔ１は側面視で後傾気味となる傾向を呈し、このため、仮に天板１が側面視で水平状に過ぎないと、肘Ｔ１に対する手の甲Ｔ１の相対的な反り角度が大きくなり、その結果、手首等に対する負担はより大きくなる。
【００５５】
これに対して本実施形態のように天板におけるマウスエリア９の後部を後傾させると、図９（Ｅ）から容易に理解できるように、手の甲Ｔ２が側面視で後傾勝手となることにより、肘Ｔ１と手の甲Ｔ２とを側面視で略一直線状に伸びた状態に保持することができ、これにより、手首等に過度の負担が掛かることを防止することができる。
【００５６】
図１０に示すように、人が椅子１５の背もたれ１６にもたれ掛かって、腕を伸ばし気味にしてマウス操作を行うことも多くあるが、本願発明では、広い面積の天板１そのものがマウス８を正確かつ軽快に操作できる表面構造になっているため、マウスの使用範囲を前後方向に長く広げることができ、このため、人がどのような姿勢を採ってもマウス８を正確かつ軽快に操作することができる。
【００５７】
天板１に前向き開口の凹所３を形成する（換言すると、使用者の左右両側に位置する部分を手前側に突出させる）と、腕を手前に引いた状態でも肘を支持した状態でマウス操作を行えるため、使い勝手がより向上する。
【００５８】
本実施形態のように左右対称に形成すると、右利きの人と左利きの人との両方に対応でき、また、左右両手を同じような姿勢にできてバランスするため、体全体の安定性もよくなり、人間工学的に好適であると言える。
【００５９】
▲４▼．バリエーション
本実施形態において、天板１は脚装置２に固定的に設けても良いし、例えば摘まみ付きねじで固定するなどして簡単に取り外しできる状態に設けても良い。簡単に取り外しできるように構成すると、天板１の上面が手の垢等で汚れたときに簡単に水洗いできる利点がある。
【００６０】
汚れ対策としては、シート１３を面ファスナーや両面粘着テープ等の引き剥がし容易な保持手段で表面材１２又はベース１１に取付けることにより、シート１３だけを取り外して洗濯できるようにすることも可能である。シート１３を、汚れにくくてしかも汚れを拭き取りやすい素材で製造することも一策である。脚装置２の上端に設けた受け部材に天板１を着脱自在に嵌め込むなどしても良い。
【００６１】
支持エリア１０のうちキーボードエリアの手前側の部分に、キーボード４におけるキーの上面よりも高くなるように側面視山形の土手部を形成し、この土手部に手首又は肘を載せてキーボード操作を行えるようにしても良い。表面材１２に起毛処理を施すことも可能であり、この場合はシート１３を不要にできる。
【００６２】
（２）．第２実施形態（図１１）
図１１では天板の別例である第２実施形態を示している。  （Ａ）は平面図、  （Ｂ）は  （Ａ）の  Ｂ−Ｂ視断面図である。
【００６３】
この実施形態は基本的には第１実施形態と殆ど同じになっている。第１実施形態との相違点としては、平面視において左右側面の丸みがない点、ベース１１を合成樹脂によるシェル構造にしている点、落下防止用の突条を備えていない点、傾斜面が曲面でなく平坦面になっている点が挙げられる。
【００６４】
（３）．第３実施形態（図１２）
図１２に示す第３実施形態も天板の別例を示している。（Ａ）は平面図、（Ｂ）は（Ａ）のＢ−Ｂ視断面図である。
【００６５】
この実施形態は、天板１は、マウスエリア９を備えている左右のサイドプレート１ａと、左右のサイドプレート１ａに跨がった状態で載っているセンタープレート１ｂとで構成されている。センタープレート１ｂはサイドプレート１ａに固定的に取付けても良いし、相対位置（前後位置又は左右位置若しくは両方）を変更できる状態で着脱可能に取付けても良い。
【００６６】
サイドプレート１ａのマウスエリアは全体として左右外側に傾斜し、かつ、手前寄りの部位は手前側に向けて緩く前傾させている。サイドプレート１ａの上面を全体として緩く湾曲した凸曲面に形成してもよい。
【００６７】
（４）．第４実施形態（図１３）
図１３に示す第４実施形態も天板の別例である。（Ａ）は平面図、（Ｂ）は（Ａ）のＢ−Ｂ視断面図である。
【００６８】
この実施形態の天板は右手でマウスを使用することの専用に形成しており、キーボードエリア５の右側の部分をマウスエリア９と成している。マウスエリア９は全体として右側に向けて低く傾斜している。また、マウスエリア９の前部は手前に向けて低くなるように緩く前傾している。
【００６９】
（５）．第５〜第７実施形態（図１４〜図１６）
図１４〜図１６では机の別形態を示している。このうち図１４に示す第５実施形態では、天板１は、左右横長の主天板１′とパソコン操作用のサブ天板１″とで平面視Ｌ形に形成されており、このうちサブ天板１″だけを本願発明の構成にしている。サブ天板１″の上面は、矢印で示す方向に向けて低くなるように傾斜している。
【００７０】
天板１は脚装置２で支持して床に自立させても良いし、間仕切ユニット１７に設けたブラケットで支持することも可能である。天板１の背面を間仕切ユニット１７で支持し、他の部分は脚装置２で支持することも可能である。
【００７１】
図１５に示す第６実施形態では、机は、キーボードを載せ得る中間棚板１８とプリンタや書架を載せ得る上段棚板１９とを設けている。天板１は第１実施形態と同じ構造である。
【００７２】
図１６に示す第７実施形態は、バックパネル２０とサイドパネル２１とで仕切られた多数のブースを左右に連設したカウンター式机に適用している。ブースの群は背中合わせに配置しても良い。図では表示していないが、例えば横幅が１２００ｍｍ以上程度ある通常の机の一部に本願発明の天板を固定的又は着脱可能に嵌め込み装着することも可能である。
【００７３】
（６）．その他
本発明は、上記の各実施形態の他にも様々に具体化することができる。例えば適用対象は机に限らず、建物の壁に姿勢固定的に又は跳ね上げ回動自在に取付けることなども可能である。事務用等の一般の机の天板に載せて使用することも可能である。
【００７４】
人の肘や手首への当たり感を柔らかくするクッション手段としては、表面材をニット編みのようなある程度の厚みを有しかつ緻密な組織を有する立体編物としたり、或いは分厚い織地としたりすることも可能である。第１実施形態のような天板をウレタン樹脂のような軟質樹脂で製造して、これをスチール製や木製のベース天板に重ねて使用することも可能である。
【００７５】
図１７はマウスの構造の別例を示すもので、上面を左から右に向けて低くなるように傾斜させている（従って、右利きの人のための仕様になっている）。このようにマウスの上面を傾斜させることにより、人が手首をねじる程度を小さくすることも可能である。
【図面の簡単な説明】
【図１】第１実施形態の斜視図である。
【図２】天板の平面図である。
【図３】図２の  ＩＩＩ−ＩＩＩ視断面図である。
【図４】図２のＩＶ−ＩＶ視断面図である。
【図５】図２の  Ｖ−Ｖ視断面図である。
【図６】図３のうち右側の部分の拡大図である。
【図７】マウスエリアの部分的な拡大断面図である。
【図８】支持エリアの部分的な拡大断面図である。
【図９】作用を説明するための概略図である。
【図１０】使用状態の別例を示す側面図である。
【図１１】第２実施形態を示す図である。
【図１２】第３実施形態を示す図である。
【図１３】第４実施形態を示す図である。
【図１４】第５実施形態を示す図である。
【図１５】第６実施形態を示す図である。
【図１６】第７実施形態を示す図である。
【図１７】マウスの変形例を示す図である。
【図１８】従来技術の問題点を説明するための図である。
【符号の説明】
１  天板
２  脚装置
３  凹所
５  キーボードエリア
７  ディスプレイエリア
９  マウスエリア
１１  ベース
１２  表面材
１３  シート
【図１】
2004348369.tif 000003
【図２】
2004348369.tif 000004
【図３】
2004348369.tif 000005
【図４】
2004348369.tif 000006
【図５】
2004348369.tif 000007
【図６】
2004348369.tif 000008
【図７】
2004348369.tif 000009
【図８】
2004348369.tif 000010
【図９】
2004348369.tif 000011
【図１０】
2004348369.tif 000012
【図１１】
2004348369.tif 000013
【図１２】
2004348369.tif 000014
【図１３】
2004348369.tif 000015
【図１４】
2004348369.tif 000016
【図１５】
2004348369.tif 000017
【図１６】
2004348369.tif 000018
【図１７】
2004348369.tif 000019
【図１８】
2004348369.tif 000020